(57)【要約】      （修正有）【課題】単一方向スパナの係合構造を提供する。【解決手段】主にスパナ本体１０の一端には収容室１１を設置し、収容室下方の適当な位置には方向制御槽１３を開設する。歯車無しラチェット２０は収容室に収容し、方向制御装置３０は方向制御槽内に設置され、方向制御部品３１、弾力体３２により構成される。方向制御部品は歯車無しラチェット上に係合固定される。歯車無しラチェットと方向制御装置の対応により、スパナ本体を螺動する時、螺動方向の違いに応じて歯車無しラチェットに対して反対の応力が加わり、その応力がある方向への応力である時、係合固定されスパナ本体と共に回転動し、その応力が反対方向への応力である時、方向制御部品は水平移動の力を受け弾力体を押し固定し、歯車無しラチェットはスパナ本体に相対し回転動する。【選択図】図１
2005246513.tif 000002
【特許請求の範囲】
【請求項１】
主に、スパナ本体、歯車無しラチェット、方向制御装置により構成され、
該スパナ本体の一端には収容室を設置し、該収容室下方の適当な位置には方向制御槽を開設し、
該歯車無しラチェットは該収容室に収容し、
該方向制御装置は該方向制御槽内に設置され、方向制御部品、弾力体により構成され、該方向制御部品は該歯車無しラチェット上に係合固定され、
スパナ本体を螺動する時には、螺動方向の違いに応じて、該歯車無しラチェットに対して反対の応力が加わり、その応力がある方向への応力である時、係合固定され該スパナ本体と共に回転動し、その応力が反対方向への応力である時、該方向制御部品は水平移動の力を受け、該弾力体を押し固定し、該歯車無しラチェットは該スパナ本体に相対し回転動することを特徴とする単一方向スパナの係合構造。
【請求項２】
前記歯車無しラチェットには断槽を設置し、前記方向制御部品側端には平面を設置することを特徴とする請求項１記載の単一方向スパナの係合構造。
【請求項３】
前記方向制御槽及び前記方向制御装置は二組設置することを特徴とする請求項１、或いは２記載の単一方向スパナの係合構造。
【請求項４】
前記方向制御部品は方柱体或いは六角柱体などの多辺形柱体に設置することを特徴とする請求項１、或いは３記載の単一方向スパナの係合構造。
【発明の詳細な説明】
【技術分野】
【０００１】
本発明は、一種の単一方向スパナの係合構造の技術分野に属する。
【背景技術】
【０００２】
ラチェット工具は非常に便利で、かつトルク値が時代の進歩と共に産業の現場で使用されるニーズを満たす水準を達成するに至り、ますます広く使用されている。
しかし、消費者の消費習慣の変化に伴い、工具さえも含む多くの物品は型式や外観の変化を求められるようになっている。すなわちラチェット工具の方向制御構造も絶えずモデルチェンジし発展させて行かなければ、現代消費者のニーズを満たすことはできないのである。
台湾特許公告第359207号に示す「ラチェットスパナの単一方向係合構造」、及び台湾特許公告第493495号に示す「ラチェットスパナの単一方向係合構造(二)」は共に、その構造の特徴は歯車を具えたラチェットとラチェットの歯車と噛みあう制動ブロックを利用し、バネを組合せラチェットの単一方向の係合を達成するものである。
しかし上記ラチェットスパナは加工が煩雑で、しかもその加工の重点が歯車にあるため、大量生産下においては該歯車の加工手順を減らすことができれば、大きなコスト削減に繋がる。これにより、製品の市場競争力は高まり、消費者にとっても優れた製品の市場価格低下となって恩恵は現われることになる。
また上記公知構造は多くの部品を本体に取り付ける必要があり、しかもその取付け手順が煩雑であるため、改良の必要がある。
一方、台湾特許公告第220161号に示す「スパナ回転動部品は単一方向の連動が可能でかつ回転動方向を切り替え可能な歯車無しラチェット式係合構造」は、歯車無し構造設計に改良し係合作動方式を達成するものであるが、その構造はやはり煩雑で、部品の交換が容易でない。さらに、その構造上の配置を見ると、バネを嵌合する円孔は加工が困難で加工コストの増加を招いており、改良の必要がある。
【発明の開示】
【発明が解決しようとする課題】
【０００３】
公知構造には以下の欠点があった。
すなわち、歯車の加工が煩雑で、しかもそこに加工の重点があるため、大量生産下においては大きなマイナス要因となっていた。歯車の加工手順を減らすことができれば、大きなコスト削減に繋がることは間違いない。
また、公知構造は多くの部品を本体に取り付ける必要があり、しかもその取付け手順が煩雑であるため改良の必要がある。
さらに、公知構造は複雑で部品交換が容易でなく、バネを嵌合する円孔の加工が困難で加工コストの増加を招いている。
本発明は上記構造の問題点を解決した単一方向スパナの係合構造を提供するものである。
【課題を解決するための手段】
【０００４】
上記課題を解決するため、本発明は下記の単一方向スパナの係合構造を提供する。
それは主に、スパナ本体、歯車無しラチェット、方向制御装置により構成される。
該スパナ本体の一端には収容室を設置し、該収容室は該歯車無しラチェットをちょうど収容することができる。さらに、該収容室下方には方向制御槽を開設し、該方向制御槽は該方向制御装置を設置する。該歯車無しラチェットと該方向制御装置は係合固定状態を呈する。該歯車無しラチェットの外周と該方向制御装置の係合位置には切断面を形成する。該方向制御装置は方向制御部品、弾力体、封鎖部品により構成され、順番に該方向制御槽内に設置され、該封鎖部品により内部に定位される。該方向制御部品は円柱体で、該側端には断面を形成し、該側端において該収容室は露出し、ちょうど該歯車無しラチェットの切断面上において係合固定される。該弾力体は該方向制御部品上において上方へと張力を発揮する。
上記構造において、スパナ本体を螺動する時には、螺動方向の違いに応じて、該歯車無しラチェットに対して反対の応力が加わり、その応力がある方向への応力である時、係合固定され該スパナ本体と共に回転動する。一方、その応力が反対方向への応力である時、該方向制御部品は水平移動の力を受け、該弾力体を押し固定し、該歯車無しラチェットは該スパナ本体に相対し回転動することを特徴とする単一方向スパナの係合構造である。
【発明の効果】
【０００５】
上記のように、本発明は公知構造の長所を残しながらその欠点を解決し、公知構造を単純化することに成功した。
すなわち、本発明は方向を制御することができ、かつ部品交換時には第二封鎖部品を緩めるだけで分解することができるため、簡単にバネ、或いは各部品を交換可能である。
さらに、本発明は組立てが簡単、便利で、しかも、歯車無しラチェットと方向制御部品の対応を利用するため、該歯車無しラチェットは歯車を必要とせず、該方向制御部品は簡単な幾何体に断面を加工しただけの物品であるため、製造コストを低下させることができ、さらには公知ラチェットで必要であった歯車の加工手順を省くことができる。
【発明を実施するための最良の形態】
【０００６】
本発明の好適な実施例を図に沿って説明する。
図１、２に示すように、本発明の実施例はスパナ本体１０、歯車無しラチェット２０、方向制御装置３０により構成される。
該スパナ本体１０の一端には収容室１１を設置し、該収容室１１は該歯車無しラチェット２０をちょうど収容することができる。さらに、第一封鎖部品１２を該収容室１１の一端に嵌合し、該歯車無しラチェット２０を該収容室１１中に係合する。また、該収容室１１下方には方向制御槽１３を開設し、該方向制御槽１３は該方向制御装置３０を設置する。該歯車無しラチェット２０と該方向制御装置３０は係合固定状態を呈する。
【０００７】
該歯車無しラチェット２０の外周中央の適当な位置には切断面２１を設置し、該方向制御装置３０を係合固定する。
該方向制御装置３０は方向制御部品３１、弾力体３２、第二封鎖部品３３により構成される。該方向制御部品３１、該弾力体３２、該第二封鎖部品３３は順番に該方向制御槽１３内に設置され、さらに該第二封鎖部品３３により該方向制御装置３０を内部に定位する。
該方向制御部品３１は円柱体で、該側端には断面を形成し、該側端において該収容室は露出し、ちょうど該歯車無しラチェット２０の切断面２１上において係合固定される。該弾力体３２は該方向制御部品３１上において上方へと張力を発揮する。
【０００８】
次に図３、４、５に示すように、使用時には、該歯車無しラチェット２０と該方向制御部品３１は係合固定状態を呈するため、該スパナ本体１０が時計回りに螺動する時、相対的に該歯車無しラチェット２０は逆時計回りの応力を受けるが、該方向制御部品３１の固定を受け、該スパナ本体１０と同時に回転動する。
反対に、該スパナ本体１０が逆時計回りに螺動する時、該歯車無しラチェット２０は時計回りの応力を受けるが、この応力は該方向制御部品３１に水平に分力され、該方向制御部品３１は該バネ３２を押す。該バネ３２は力を受け圧縮し、該方向制御部品３１は水平に移動する。こうして、該歯車無しラチェット２０は相対的に本体の回転動を螺動することができる。
【０００９】
さらに図６、７に示すように、本発明の第二実施例において上記第一実施例との相違点は、該歯車無しラチェット２０の外周である。第二実施例においては該歯車無しラチェット２０の外周に環状の断槽２２を設置する。他の作動方式は第一実施例と同様で、効果もまた同様である。
【００１０】
さらに図８、９に示すように、本発明の第三実施例において上記第一実施例との相違点は、該方向制御槽１３を二本、さらに該方向制御装置３０を二組設置可能で、該歯車無しラチェット２０外周にもまた二本の断槽２２を設置する点である。他の作動方式は第一実施例と同様で、効果もまた同様である。
【００１１】
さらに図１０、１１に示すように、本発明の第四、及び第五実施例において上記第一実施例との相違点は、該方向制御部品３１を方形或いは六角形の非円形柱体に設置可能で、かつ該断槽２２は該方向制御部品３１の形状に対応し、内部に凹状を呈し該方向制御部品３１と合致する点である。他の作動方式は第一実施例と同様で、効果もまた同様である。
【図面の簡単な説明】
【００１２】
【図１】本発明単一方向スパナの係合構造の実施例の構造分解図である。
【図２】本発明単一方向スパナの係合構造の実施例の断面図である。
【図３】本発明単一方向スパナの係合構造の実施例を時計回りに螺動させる様子を示す作動図である。
【図４】本発明単一方向スパナの係合構造の実施例を逆時計回りに螺動させる様子を示す作動図である。
【図５】本発明単一方向スパナの係合構造の実施例の別種の作動指示図である。
【図６】本発明単一方向スパナの係合構造の第二実施例の指示図である。
【図７】本発明単一方向スパナの係合構造の第二実施例の断面図である。
【図８】本発明単一方向スパナの係合構造の第三実施例の構造分解指示図である。
【図９】本発明単一方向スパナの係合構造の第三実施例の断面図である。
【図１０】本発明単一方向スパナの係合構造の第四実施例の指示図である。
【図１１】本発明単一方向スパナの係合構造の第五実施例の指示図である。
【符号の説明】
【００１３】
１０  スパナ本体
１１  収容室
１２  第一封鎖部品
１３  方向制御槽
２０  歯車無しラチェット
２１  切断面
２２  断槽
３０  方向制御装置
３１  方向制御部品
３２  弾力体
３３  第二封鎖部品
【図１】
2005246513.tif 000003
【図２】
2005246513.tif 000004
【図３】
2005246513.tif 000005
【図４】
2005246513.tif 000006
【図５】
2005246513.tif 000007
【図６】
2005246513.tif 000008
【図７】
2005246513.tif 000009
【図８】
2005246513.tif 000010
【図９】
2005246513.tif 000011
【図１０】
2005246513.tif 000012
【図１１】
2005246513.tif 000013